(57)【要約】      （修正有）【課題】  包装箱の包装材の使用量を減らすとともに、運搬時に発生する包装箱の角部の凹みや劣化を防ぎ、収納箱を外装箱から容易に取り出すことができるとともに展示スペースを有効に利用できる包装箱を提供する。【解決手段】  包装箱１０は、直方体の周囲の４面のうち互いに隣接する偶角部を除いた中間領域からなる４つの主面とこの４つの主面の端縁同士を連接する４つの側面３から形成された略八角柱形状をなし、少なくとも一端に開口１２を有しする本体部と前記本体部の開口１２の一方の辺縁部１２ａから一体的に突出し、前記開口１２を閉塞するように折り曲げられた蓋部４とを具備する。本体部が略八角柱に形成されているので、包装箱の表面積が、対向する主面同士の間隔が等しい直方体で形成された包装箱１０に比べて小さくなり、包装材の使用量が軽減される。また、多数の包装箱１０を外装箱に収納した場合、運搬時に、角部の凹み劣化が発生することがない。【選択図】図１
2007039126.tif 000002
【特許請求の範囲】
【請求項１】
直方体の長手方向の周囲の４面のうち互いに隣接する偶角部を除いた中間領域からなる４つの主面とこの４つの主面の端縁同士を連接する４つの側面から形成された略八角柱形状をなし、少なくとも一端に開口を有し、内部に収容部が形成されるように板状の包装材を折り曲げ、かつ接合して形成された本体部と；
前記本体部の開口の一方の辺縁部から一体的に突出し、前記開口を閉塞するように折り曲げられた蓋部と；
を具備したことを特徴とする包装箱。
【請求項２】
請求項１記載の包装箱と；
この包装箱の収容部内に係止され、中央部に挿通孔が形成されたホルダと；
このホルダの挿通孔に一部が挿通されて収容部の略中央に中心軸が位置するように保持された管球と；
を具備していることを特徴とする包装体。
【発明の詳細な説明】
【技術分野】
【０００１】
本発明は、板状の包装材を折り曲げて形成され、内部に物品の収容部を有する包装箱および包装体に関する。
【背景技術】
【０００２】
ダンボールまたは厚紙を切り抜いて形成した包装材を内部に収容部が形成されるように折り曲げ、かつ接合して形成された各種物品用の包装箱が多用されている。
【０００３】
白熱電球等の片口金付きの管球製品を収容する包装箱は、収容する管球の形状に合わせた直方体形状に形成されている。（たとえば特許文献１参照）。
【特許文献１】実開平０５−９４１５７号公報
【発明の開示】
【発明が解決しようとする課題】
【０００４】
管球製品のように市場で大量に取引される物品は、流通過程において多数の包装箱を外装箱に収容した状態で運搬される。外装箱とは、個装箱を複数個並べて集合した状態で梱包する容器のことである。従来のように直方体で形成された包装箱の場合では、外装箱内の包装箱同士に隙間が無く配列して収容されているので包装箱が取り出しにくかった。また運搬の際に加わる振動や衝撃によって互いに当接し合う包装箱の角部が凹んだり、摩擦によって角部が劣化しやすいという不具合があった。これは、直方体形状の角部が直角状に突出していて、隣接する包装箱の角部がその頂部をつき合わされるように各包装箱が格子配列状に配置されるために起きるものであり、特に応力の集中しやすい角部同士に比較的強い力が加わることによって角部が変形しやすくなる。
【０００５】
本発明は上記課題に鑑みなされたものであり、運搬時に発生する包装箱の角部の凹みや劣化を防ぎ、収納箱を外装箱から容易に取り出せるとともに、包装箱の包装材の使用量を減らすことができる包装箱および包装体を提供することを目的とする。
【課題を解決するための手段】
【０００６】
請求項１記載の包装箱は、直方体の周囲の４面のうち互いに隣接する偶角部を除いた中間領域からなる４つの主面とこの４つの主面の端縁同士を連接する４つの側面から形成された略八角柱形状をなし、少なくとも一端に開口を有し、内部に収容部が形成されるように板状の包装材を折り曲げ、かつ接合して形成された本体部と；前記本体部の開口の一方の辺縁部から一体的に突出し、前記開口を閉塞するように折り曲げられた蓋部と；を具備したことを特徴とする。
【０００７】
主面の幅寸法ａと側面の幅寸法ｂとの比ｂ/ａが１のとき、本体部が形成する八角柱形状は、その断面が正八角形となり従来の包装箱に比べ最も包装材を削減できる形状となる。しかし、主面に表示する商品情報の印刷スペースを考慮するとｂ/ａは０．６より小さくするのが望ましく、また外装箱に包装箱を格子配列状に収納したときに連接する４つの側面に囲まれて形成される空間の大きさ確保、包装材料の削減効果、包装箱をスリムに見せる効果、運搬時に発生する包装箱の角部の凹みや劣化防止効果等を考慮するとｂ/ａは０．２より大きいことが望ましく、好ましくはｂ/ａを０．３〜０．５の範囲に設定するのが好ましい。
【０００８】
請求項２記載の包装箱は、請求項１記載の包装箱と、この包装箱の収容部内に係止され、中央部に挿通孔が形成されたホルダと、このホルダの挿通孔に一部が挿通されて収容部の略中央に中心軸が位置するように保持された管球とを具備していることを特徴とする。
【０００９】
ホルダは、包装箱の収容部内に係止するものであれば、包装箱と別体で形成されていてもよいし、包装箱と一体で形成されていてもよい。
【００１０】
管球は白熱電球や電球形蛍光ランプ等の略回転形状を備えた片口金タイプの管球が好適であるが、中心軸を収容部の略中央に配設できるものであれば種類は問わない。
【発明の効果】
【００１１】
請求項１記載の包装箱によれば、本体部が略八角柱に形成されているので、包装箱の表面積が、対向する主面同士の間隔が等しい直方体で形成された包装箱に比べて小さくなり、包装材の使用量が軽減される。また、多数の包装箱を外装箱に収納した場合、運搬時に、外装箱に振動や衝撃が加わることによって収容された包装箱が比較的強い力で互いに当接し合うが、本体部の主面および側面には直角状に突出する角部が存在しないので、角部の凹みや劣化が発生することがない。さらに、隣接する包装箱の側面同士の間に空間が形成されるため、包装箱を外装箱から取り出す際に角部が引っ掛かることがなく、取り扱いが容易になる。
【００１２】
請求項２記載の包装体によれば、管球の中心軸が収容部の略中央に位置するように管球がホルダによって保持されているので、包装箱に振動や衝撃が加わっても管球に対して偏った応力が伝わることを抑制でき、管球が破損しにくくなる。
【発明を実施するための最良の形態】
【００１３】
以下、本発明の実施の形態について図面を参照しながら説明する。
【００１４】
図１は、本発明の実施形態の包装箱を示す斜視図である。図２は、図１の包装箱の開口を蓋部で閉塞した状態を示す斜視図である。図３は、図２の包装箱に電球形蛍光ランプを挿入し、固定した状態を示す縦断面図である。図４は図１の包装箱の展開図である。図５は、外装箱に包装箱を梱包した状態を包装箱の蓋部が上面に位置する方向から見た上面図である。図６は、外装箱に包装箱を梱包した状態を示す一部切欠き斜視図である。
【００１５】
１０は包装箱であり、主面１ａ、１ｂ、２ａ、２ｂおよび側面３からなる平面部によって構成された本体部を有している。本体部の一方には開口１２が形成されており、この開口１２と本体部の内側に形成された収容部とが連通している。主面１ａと１b、主面２ａと２bおよび互いに対向する２対の側面３はそれぞれの平面部が互いに平行となるように本体部の周囲を構成している。主面１ａの上方の辺縁部１２ａには、蓋部４が突出して形成されており、蓋部４の先端側には差し込みフラップ５が一体的に設けられている。主面２ａ、２ｂの上端部にはフラップ７ａ、７ａがそれぞれ形成されている。主面１ａの上方の辺縁部１２ａには蓋部４の折り曲げ溝が形成されている。辺縁部１２ａに対向する開口１２の辺縁部１２ｂからは片部７ｂが突出するとともに辺縁部１２ｂには折り曲げ溝が形成されていて、片部７ｂが収容部側に折り込まれている。開口１２は、管球としての電球形蛍光ランプＬを収容部に収容した後、差し込みフラップ５を片部７ｂに沿って収容部側へ折り込むことによって蓋部４により閉塞される。
【００１６】
主面１ｂの一方の辺縁部１２ｂから主面１ｂ側には略U字状の切り起こし溝９が形成されており、この切り起こし溝９および一方の辺縁部１２ｂに形成された折り曲げ溝によってフック片１１が切り起こされる。フック片１１には、吊下げ金具などが挿通可能なように挿通孔ｈが穿孔されている。
【００１７】
図１に示すように、包装箱１０が組み立てられた状態では、主面１ａと１ｂおよび主面２ａと２ｂは、それぞれの端縁３ａ間に形成された側面３を介して折り込むことで互いに平行になるように設けられている。これによって、直方体の周囲の４面のうち互いに隣接する偶角部を除いた中間領域からなる４つの主面１ａ、１ｂ、２ａ、２ｂとこの４つの主面の端縁３ａ同士を連接する４つの側面３…３から形成された略八角柱形状が形成される。また、主面１ａ、１ｂと主面２ａ、２ｂの下端部にはそれぞれの先端部が互いに係合して平面状に組合されることで底面部６を構成するフラップ６ａ…６ａが設けられている。また、主面１ｂの側端部から突出して形成された側面３に糊しろ８が一体的に設けられている。
【００１８】
次に、本実施形態の作用について説明する。まず、電球形蛍光ランプＬを収容部に収容した後、ホルダ１３で電球形蛍光ランプを固定する。ホルダ１３は収容部の横断面形状と同じ八角形状の平板部１３ａ、この平板部１３ａの略中央に形成された挿通孔１３ｂおよび平板部１３ａの主面１ａ、１ｂ、２ａ、２ｂの内側に対向する各辺縁部から突出した舌片部１３ｃから形成されている。この４つの舌片部１３ｃは辺縁部に沿った折曲げ溝によって同一方向に９０°の角度で折り曲げられている。平板部１３ａは、その辺縁部が収容部の内面に当接するとともに各舌片部１３ｃが開口１２側に向けられた状態で収容部に係止される。このとき、ホルダ１３の挿通孔１３ｂには電球形蛍光ランプＬの口金部分Ｌ１が挿通されて電球形蛍光ランプＬの中心軸が収容部の略中央に位置するように保持される。このとき、電球形蛍光ランプＬのグローブ部分Ｌ２は収容部の内面と当接しているのが望ましい。包装箱１０に振動や衝撃が加わったときに電球形蛍光ランプＬが収容部内で振動して破損することを防ぐためである。電球形蛍光ランプＬはその長手方向中心軸が収容部の略中央に位置するように保持されているので、中心軸が斜めに傾いて保持された場合に比べて衝撃等の外部から加わる応力が電球形蛍光ランプＬに対して略均等に加わるとともに、安定して保持することが可能となるので、電球形蛍光ランプＬの破損を効果的に抑制することが可能となる。そして、蓋部４から一体的に設けられた差し込みフラップ５を開口１２に差し込み、差し込みフラップ５が辺縁部１２bの両端部で係止され、開口１２が閉塞される。なお、図３においてフラップ７ａおよび底面部６を構成する各フラップ６ａ…６ａは便宜上省略している。また、ホルダ１３は、包装箱１０の収容部の略中央に管球の中心軸が位置するように保持するものであり、中央部に形成された挿通孔１３ｂに電球形蛍光ランプＬの一部を挿通し電球形蛍光ランプＬを保持するとともに、包装箱１０の収容部内に係止するものであれば、包装箱１０と別体で形成されていてもよいし、包装箱１０と一体で形成されていてもよい。
【００１９】
ここで包装箱１０の本体部は、直方体の周囲の４面のうち互いに隣接する偶角部を除いた中間領域からなる４つの主面１ａ、１ｂ、２ａ、２ｂとこの４つの主面の端縁３ａ・・・３ａ同士を連接する４つの側面３・・・３から形成された略八角柱形状をなしている。このため、多数の包装箱１０…１０の主面同士を当接させて蓋部４が格子配列状に配置されるように外装箱１４に収容した場合、図５に示すように隣接する包装箱１０の側面３…３によって囲まれた空間１５が形成される。包装箱１０を外装箱から取り出す際、この空間１５に指を挿入して包装箱１０を挟持することができ、包装箱１０の角部が引っ掛かることがなくなるので取り扱いが容易になる。また、流通過程における運搬時には、外装箱１４に振動や衝撃が加わることによって収容された包装箱１０同士が比較的強い力で当接しあうが、本体部の主面１ａ、１ｂ、２ａ、２ｂおよび側面３…３は直角状に突出する角部を形成しないので、角部が凹んだり劣化するという不具合が発生することがない。
【００２０】
個装箱１０が外装箱１４に収容された場合には図６に示すように外装箱１４の角部の内側に空間１６が形成される。ここで、外装箱１４の角部とは、外装箱１４の稜線のうち、包装箱１０を図５に示すように梱包したときに包装箱１０の蓋部４に対して直交する方向に伸びる４本の稜線１７…１７および８個の各頂点１８…１８が存在する部分をいう。流通過程における運搬時に、外装箱１４の角部に衝撃が加わると応力が集中するので角部が凹みやすいが、仮に外装箱１４の角部が凹んでもこの角部の内側に形成された空間１６によって凹み応力が吸収されるため、包装箱１０が凹むことが抑制される。    
【００２１】
本実施形態の包装箱１０は、本体部が略八角柱に形成されているので、例えば店舗に包装箱１０を陳列したときに、包装箱１０の主面１ａ、１ｂ、２ａ、２ｂに対して所定角度の斜め方向から見ると側面３の一部が正面側の主面に隠れて見えないので、包装箱１０全体がスリムに見えるという利点もある。  
【００２２】
本体部が形成する八角柱形状は、その断面が正八角形となっていることを含むものであるが、主面１ａ、１ｂ、２ａ、２ｂに表示する商品情報の印刷スペースや包装材料の削減効果等を考慮すると、主面の幅寸法ａと側面の幅寸法ｂとの比ｂ/ａは０．２〜０．６、好ましくは０．３〜０．５の範囲内に設定するのが好ましい。
【００２３】
図７は、本発明による包装箱を特別な展示方法で陳列した状態を蓋部４側から見た上面図である。従来の包装箱は、展示用に陳列したときに主面同士が密着しているが、本展示方法では包装箱１０の側面３…３の一部が当接し合うように配置し側面３、３および主面１ａ、１ｂ、２ａおよび２bの一部によって空間１９を形成することで、包装箱１０の集合密度を高めることができる。
【図面の簡単な説明】
【００２４】
【図１】本発明による包装箱の実施形態の構成を示す斜視図である。
【図２】図１の包装箱の開口を蓋部で閉塞した状態を示す斜視図である。
【図３】本発明による包装箱に管球形蛍光ランプを収容し、固定部材で固定したものの断面図である。
【図４】本発明による図１の包装箱の展開図である。
【図５】図５は、外装箱に包装箱を梱包した状態を包装箱の蓋部に対して直交する方向から見た図である。
【図６】図６は、図５の斜視図である。
【図７】図７は、本発明による包装箱を展示した状態を包装箱の蓋部に対して直交する方向から見た図である。
【符号の説明】
【００２５】
１ａ、１ｂ、２ａ、２ｂ   主面
３    側面
３ａ   端縁
４    蓋部
１０  包装箱
１２  開口
１３  ホルダ
Ｌ  管球としての電球形蛍光ランプ
【図１】
2007039126.tif 000003
【図２】
2007039126.tif 000004
【図３】
2007039126.tif 000005
【図４】
2007039126.tif 000006
【図５】
2007039126.tif 000007
【図６】
2007039126.tif 000008
【図７】
2007039126.tif 000009